(57)【要約】【課題】照射する光によって視覚効果を付与しつつ取付対象部からの出っ張りを極力小さくすることができる光装飾装置を提供する。【解決手段】光装飾装置であるリアスポイラー１は、取付対象部Ｔに沿った第一方向に並んで設けられる複数のＬＥＤ３１と、ＬＥＤ３１を覆って設けられる透光性を有したアクリル板４と、ＬＥＤ３１から出射された出射光をアクリル板４に向かって透過させる拡散板５と、を備え、拡散板５は、第一方向に交差する第二方向、又は第一方向に沿って出射光を拡散させる光学特性を有し、ＬＥＤ３１の各々は、拡散板５の面直交方向に対し、第二方向の一方側に傾斜した傾斜方向に沿って出射光を出射する位置に設けられている。【選択図】図２
2016146317.tif 000002
【特許請求の範囲】
【請求項１】
取付対象部に取り付けられるとともに、該取付対象部から離れる方向に向かって光を照射する光装飾装置であって、
前記取付対象部に沿った第一方向に並んで設けられる複数の光源と、
前記複数の光源を覆って設けられる透光性を有した透光部材と、
前記複数の光源から出射された出射光を前記透光部材に向かって透過させるか反射させる光学部材と、を備え、
前記光学部材は、前記第一方向と、該第一方向に交差する第二方向と、に沿った平面又は曲面を有するとともに、主に前記第二方向に沿って前記出射光を拡散させるか、主に前記第一方向に沿って前記出射光を拡散させるか、又は、前記第一方向及び前記第二方向と傾斜した方向に沿って前記出射光を拡散させる光学特性を有して形成され、
前記複数の光源の各々は、前記光学部材における前記第一方向及び前記第二方向に直交する面直交方向に対し、前記第二方向の一方側に傾斜した傾斜方向に沿って前記出射光を出射する位置に設けられていることを特徴とする光装飾装置。
【請求項２】
前記複数の光源、前記透光部材、及び前記光学部材を前記取付対象部の反対側から覆うカバー部材をさらに備え、
前記カバー部材には、前記透光部材を透過した光を外部に通過させる開口部が形成されていることを特徴とする請求項１に記載の光装飾装置。
【請求項３】
前記透光部材に対して前記取付対象部の側に設けられるとともに前記複数の光源を支持する支持部材をさらに備え、
前記光学部材は、前記支持部材に対向する前記透光部材の表面に沿って設けられ、前記出射光を前記透光部材に向かって透過させることを特徴とする請求項１又は２に記載の光装飾装置。
【請求項４】
前記透光部材に対して前記取付対象部の側に設けられるとともに前記複数の光源を支持する支持部材をさらに備え、
前記光学部材は、前記透光部材に対向する前記支持部材の表面に沿って設けられ、前記出射光を前記透光部材に向かって反射させることを特徴とする請求項１又は２に記載の光装飾装置。
【請求項５】
前記複数の光源は、それぞれＬＥＤからなる点光源で構成されていることを特徴とする請求項１〜４のいずれか一項に記載の光装飾装置。
【請求項６】
前記取付対象部が車両の外装又は内装の一部であることを特徴とする請求項１〜５のいずれか一項に記載の光装飾装置。
【発明の詳細な説明】
【技術分野】
【０００１】
本発明は、光装飾装置に係り、詳しくは、取付対象部に取り付けられて光を照射する光装飾装置に関するものである。
【背景技術】
【０００２】
従来、車両の信号灯やブレーキランプ等に適用される車両用灯具が提案されている（例えば、特許文献１参照）。特許文献１に記載された車両用灯具は、光源であるＬＥＤ（Light Emitting Diode、発光ダイオード）と、ＬＥＤから出射された光を反射させるリフレクタと、リフレクタで反射させた光を透過させるアウタレンズと、を備えて構成されている。リフレクタは、ＬＥＤの前方に設けられるレンズリフレクタと、このレンズリフレクタの後方に対向して設けられる拡散リフレクタと、で構成されている。このような車両用灯具によれば、点光源であり指向性が高いＬＥＤからの出射光をリフレクタで反射、拡散させて照射することにより、照射光の均一化と発光面積の拡大が図られる。
【先行技術文献】
【特許文献】
【０００３】
【特許文献１】特開２００３−２５７２１９号公報
【発明の概要】
【発明が解決しようとする課題】
【０００４】
しかしながら、特許文献１に記載された従来の車両用灯具は、照射光の均一化と発光面積の拡大を意図したものであり、照射光による装飾効果を期待することができない。すなわち、車両に限らず種々の物品（取付対象部）において、照射する光によって視覚効果を付与し、これにより装飾性を高める光装飾装置が望まれている。また、取付対象部に取り付ける場合、取付対象部からの出っ張りを極力小さくしつつ視覚効果を高めたいという要望もある。
【０００５】
したがって、本発明は、照射する光によって視覚効果を付与しつつ取付対象部からの出っ張りを極力小さくすることができる光装飾装置を提供することを目的とする。
【課題を解決するための手段】
【０００６】
上記目的を達成するために請求項１に記載の光装飾装置は、取付対象部に取り付けられるとともに、該取付対象部から離れる方向に向かって光を照射する光装飾装置であって、前記取付対象部に沿った第一方向に並んで設けられる複数の光源と、前記複数の光源を覆って設けられる透光性を有した透光部材と、前記複数の光源から出射された出射光を前記透光部材に向かって透過させるか反射させる光学部材と、を備え、前記光学部材は、前記第一方向と、該第一方向に交差する第二方向と、に沿った平面又は曲面を有するとともに、主に前記第二方向に沿って前記出射光を拡散させるか、主に前記第一方向に沿って前記出射光を拡散させるか、又は、前記第一方向及び前記第二方向と傾斜した方向に沿って前記出射光を拡散させる光学特性を有して形成され、前記複数の光源の各々は、前記光学部材における前記第一方向及び前記第二方向に直交する面直交方向に対し、前記第二方向の一方側に傾斜した傾斜方向に沿って前記出射光を出射する位置に設けられていることを特徴とする。
【０００７】
請求項２に記載の光装飾装置は、請求項１に記載の光装飾装置において、前記複数の光源、前記透光部材、及び前記光学部材を前記取付対象部の反対側から覆うカバー部材をさらに備え、前記カバー部材には、前記透光部材を透過した光を外部に通過させる開口部が形成されていることを特徴とする。
【０００８】
請求項３に記載の光装飾装置は、請求項１又は２に記載の光装飾装置において、前記透光部材に対して前記取付対象部の側に設けられるとともに前記複数の光源を支持する支持部材をさらに備え、前記光学部材は、前記支持部材に対向する前記透光部材の表面に沿って設けられ、前記出射光を前記透光部材に向かって透過させることを特徴とする。
【０００９】
請求項４に記載の光装飾装置は、請求項１又は２に記載の光装飾装置において、前記透光部材に対して前記取付対象部の側に設けられるとともに前記複数の光源を支持する支持部材をさらに備え、前記光学部材は、前記透光部材に対向する前記支持部材の表面に沿って設けられ、前記出射光を前記透光部材に向かって反射させることを特徴とする。
【００１０】
請求項５に記載の光装飾装置は、請求項１〜４のいずれか一項に記載の光装飾装置において、前記複数の光源は、それぞれＬＥＤからなる点光源で構成されていることを特徴とする。
【００１１】
請求項６に記載の光装飾装置は、請求項１〜５のいずれか一項に記載の光装飾装置において、前記取付対象部が車両の外装又は内装の一部であることを特徴とする。
【発明の効果】
【００１２】
請求項１に記載された発明によれば、取付対象部に沿った第一方向に並んで複数の光源が設けられるとともに、第一方向に交差する第二方向に沿って光源からの出射光を拡散させるか、主に前記第一方向に沿って前記出射光を拡散させるか、又は、前記第一方向及び前記第二方向と傾斜した方向に沿って前記出射光を拡散させる光学特性を有した光学部材が設けられることで、光学部材を透過した透過光又は光学部材に反射した反射光は、第二方向に長く伸びた線状の光となって透光部材に照射されるか、第一方向及び第二方向に交差した格子状の光となって透光部材に照射されるか、又は、任意の傾斜角度で伸びる縞状の光となって透光部材に照射される。また、複数の光源の各々からの出射光は、光学部材の面直交方向に対して第二方向の一方側に傾斜した傾斜方向に沿って出射される、すなわち光源から光学部材までの距離が第二方向の一方側から他方側に向かって徐々に遠くなることで、光学部材から透光部材に照射される線状又は格子状の光は、その長手方向（第二方向であり、光源から離れる方向）に沿って輝度が変化する。従って、光学部材を透過した透過光又は光学部材に反射した反射光は、各光源に対応した互いに平行な複数の線状の光、第一、二方向に交差した格子状の光、又は縞状の光であり、かつその長手方向の輝度が変化する光となって、透光部材を透過して外部に照射される。
【００１３】
以上のように互いに平行な複数の線状、格子状又は縞状かつ輝度が変化する光が照射されることで、奥行き感のある視覚効果を付与することができる。具体的には、各線状、格子状又は縞状の光は、光源から光学部材までの距離が近い部分の光（透過光又は反射光）ほど、透光部材の表面位置近くで光っているように見え、光源から光学部材までの距離が遠い部分の光ほど、透光部材の表面位置よりも奥側の遠くで光っているように見える。従って、傾斜方向に配置した光源と光学部材との距離に応じた輝度の変化によって奥行き感のある視覚効果が得られることから、光学部材の面直交方向に沿って光源と光学部材とを大きく離隔させなくてもよくなる。これにより、光装飾装置の奥行き方向の寸法を小型化（薄型化）することができるので、取付対象部からの出っ張りを極力小さくすることができる。
【００１４】
請求項２に記載された発明によれば、カバー部材によって複数の光源、透光部材、及び光学部材を覆うとともに、カバー部材に形成した開口部から外部に光を照射し、この照射光が前述した奥行き感のある視覚効果を与えることによって、カバー部材の内部に空間が広がっているように感じさせることができる。従って、カバー部材の奥行き方向の寸法を大きくしなくても、その内部空間の広がり感を付与することができる。
【００１５】
請求項３に記載された発明によれば、透光部材に対向する支持部材によって複数の光源を支持するとともに、透光部材の表面に沿って設けた光学部材に出射光を透過させることで、複数の光源を確実に支持することができ、これらの光源と光学部材とを適切な角度及び距離に維持することができる。従って、複数の光源からの出射光が設定通りの角度及び距離で光学部材に到達して透過することで、光源ごとのばらつきをなくして均質な視覚効果を付与することができる。
【００１６】
請求項４に記載された発明によれば、透光部材に対向する支持部材によって複数の光源を支持するとともに、支持部材の表面に沿って設けた光学部材に出射光を反射させることで、複数の光源を確実に支持することができ、これらの光源と光学部材とを適切な角度及び距離に維持することができる。従って、複数の光源からの出射光が設定通りの角度及び距離で光学部材に到達して反射することで、光源ごとのばらつきをなくして均質な視覚効果を付与することができる。
【００１７】
請求項５に記載された発明によれば、複数の光源がＬＥＤからなる点光源で構成され、指向性が高いＬＥＤからの出射光を光学部材で第二方向に拡散させることで、光学部材からの透過光又は反射光である線状の光のコントラストを高めることができる。また、ＬＥＤを光源として用いることで、消費電力を削減することができるとともに、各光源自体のサイズが小型化できることから光装飾装置の薄型化を促進させることができる。
【００１８】
請求項６に記載された発明によれば、取付対象部が車両の外装又は内装の一部である、すなわち車両用の光装飾装置として本発明を利用することで、奥行き感のある視覚効果を付与しつつ車両の外装又は内装からの出っ張りを極力小さくすることができる。
【図面の簡単な説明】
【００１９】
【図１】本発明の一実施形態に係る光装飾装置を示す分解斜視図である。
【図２】前記光装飾装置を示す断面図である。
【図３】前記光装飾装置の要部を拡大して示す断面図である。
【図４】前記光装飾装置の作用を説明する斜視図である。
【図５】前記光装飾装置の発光状態を示す正面図である。
【図６】前記光装飾装置の他の形態における発光状態を示す正面図である。
【図７】本発明の変形例に係る光装飾装置の要部を拡大して示す断面図である。
【発明を実施するための形態】
【００２０】
以下、本発明の一実施形態に係る光装飾装置として、車両用のリアスポイラーを、図１〜図６に基づいて説明する。本実施形態のリアスポイラー１は、図２に示すように、自動車Ｃのトランクやリアハッチ等の取付対象部Ｔに取り付けられる外装部品であって、自動車Ｃ後部上面の空気の流れを整えるとともに、自動車Ｃの後方に向かって光を照射するものである。
【００２１】
リアスポイラー１は、取付対象部Ｔに固定されるスポイラー本体（カバー部材）２と、複数の光源であるＬＥＤ３１を有した灯体３と、透光部材としてのアクリル板４と、光学部材としての拡散板５と、灯体３を支持する支持部材としてのベース６と、を備えて構成されている。灯体３、アクリル板４、拡散板５、及びベース６は、スポイラー本体２の内部に設けられ、すなわち、スポイラー本体２は、灯体３、アクリル板４、拡散板５、及びベース６を取付対象部Ｔの反対側から覆って設けられている。
【００２２】
スポイラー本体２は、樹脂製の一体成形品であって、取付対象部Ｔの曲面形状に応じた外形を有して形成されている。スポイラー本体２は、取付対象部Ｔの上面Ｔ１に沿って設けられる上面部２１と、取付対象部Ｔの側面Ｔ２（自動車Ｃのテール面）に沿って設けられる側面部２２と、を有して断面略Ｌ字形に形成されている。このスポイラー本体２は、上面部２１が両面テープ２３によって取付対象部Ｔの上面Ｔ１に固定され、側面部２２が両面テープ２４によって取付対象部Ｔの側面Ｔ２に固定され、これによって取付対象部Ｔに取り付けられている。また、上面部２１の前端にはゴム製等の当接部材２５が設けられ、この当接部材２５が取付対象部Ｔの上面Ｔ１に当接することでボディへの傷付きが防止されている。
【００２３】
スポイラー本体２の側面部２２は、その自動車Ｃの車幅方向両端側が上面部２１に向かって徐々に高さが小さくなるとともに、高さ方向中間部が取付対象部Ｔに向かって凹んだ凹状に形成されている。この側面部２２には、車幅方向に沿って長く延びる開口部２６が形成されている。この開口部２６の形状は、車幅方向中間部の高さ寸法に比べて、車幅方向両端側の高さ寸法が小さくなるように形成されている。また、開口部２６は、その上端縁２６Ａが下端縁２６Ｂよりも車両後方側に位置し、すなわち、上方に向かって後方に傾斜して形成されている。さらに、スポイラー本体２が取付対象部Ｔの曲面形状に応じた外形を有していることから、開口部２６の上端縁２６Ａ及び下端縁２６Ｂは、平面視において、車幅方向中間部が両端部よりも後方に膨らんだ曲線状に形成されている。
【００２４】
灯体３は、複数のＬＥＤ３１と、これらのＬＥＤ３１を等間隔かつ一直線状に並べて支持するテープ状の基材３２と、図示しない制御回路や電源回路に接続される配線と、を備えて構成されている。この灯体３は、基材３２がベース６に接着固定され、複数のＬＥＤ３１が車両後方側に向かって略水平横向きになるように支持されている。また、複数のＬＥＤ３１は、スポイラー本体２における開口部２６の下端縁２６Ｂに対し、車両前方側にそれぞれ等距離に設けられている。従って、複数のＬＥＤ３１は、開口部２６の上端縁２６Ａ及び下端縁２６Ｂと同様に、平面視において、車幅方向中間部が両端部よりも後方に膨らんだ曲線に沿って設けられ、すなわち、取付対象部Ｔの側面Ｔ２に沿った水平方向である第一方向Ｄ１に並んで設けられている。
【００２５】
アクリル板４は、暗色半透明の透光性を有したものであって、スポイラー本体２の開口部２６内側を覆って設けられている。このアクリル板４は、その上下の二辺がベース６に両面テープ４１によって接着固定されるとともに、スポイラー本体２の側面部２２内面に対しては開口部２６の下端縁２６Ｂに沿った両面テープ４２を介して固定されるように支持されている。従って、アクリル板４は、開口部２６の上端縁２６Ａ及び下端縁２６Ｂと同様に、平面視において、車幅方向中間部が両端部よりも後方に膨らんだ曲面状に取り付けられている。また、アクリル板４は、図２，３に示すように、縦の断面視において、その下端縁よりも上端縁が車両後方側に傾斜した略直線状に設けられている。
【００２６】
拡散板５は、フィルム状に形成され、アクリル板４の内面に沿って両面テープ５１によって貼り付けられている。この拡散板５は、取付対象部Ｔの側面Ｔ２に沿った第一方向Ｄ１に長尺に形成されるとともに、第一方向Ｄ１と交差する高さ方向である第二方向Ｄ２の幅寸法がスポイラー本体２の開口部２６の幅よりも大きく形成されている。拡散板５は、その表面や内部に微細な凹凸面を有し、入射した光を主に第二方向Ｄ２に拡散させるものの、第一方向Ｄ１には拡散させにくい光学特性を有して形成されている。そして、拡散板５は、灯体３のＬＥＤ３１から出射された出射光を第二方向Ｄ２に拡散させつつ透過させ、透過光をアクリル板４に向かって出射するようになっている。
【００２７】
ベース６は、樹脂製の一体成形品であって、アクリル板４及び拡散板５の取付対象部Ｔ側に対向して設けられている。このベース６の上端部には、車両前方側に折り返された折返部６１が形成され、この折返部６１が両面テープ６２によって取付対象部Ｔの上面部２１内面に固定されている。ベース６の上部及び下部には、それぞれ第二方向Ｄ２に沿った平面部６３が形成され、これらの平面部６３に両面テープ４１によってアクリル板４が固定されている。上下の平面部６３間には、上側の平面部６３に連続して取付対象部Ｔに向かって下方に傾斜した傾斜面部６４と、この傾斜面部６４の下端から略鉛直下方に延びる鉛直面部６５と、が形成され、この鉛直面部６５に灯体３が固定されている。
【００２８】
以上のリアスポイラー１において、灯体３の各ＬＥＤ３１は、図３に示すように、拡散板５に対して、拡散板５の面直交方向Ｄ３に対して第二方向Ｄ２の下方側（一方側）に位置ずれして設けられている。これにより、ＬＥＤ３１から拡散板５に向かう出射光は、拡散板５の面直交方向Ｄ３に対して第二方向Ｄ２の下方側に傾斜した傾斜方向に沿って出射されることになる。すなわち、ＬＥＤ３１からの出射光のうち、開口部２６の下端縁２６Ｂ側に向かう出射光の経路Ｌ１、及び上端縁２６Ａ側に向かう出射光の経路Ｌ２、のいずれもが拡散板５の面直交方向Ｄ３に対して傾斜し、このように傾斜方向から拡散板５に入射した光がアクリル板４を透過して開口部２６から外部に照射されるようになっている。
【００２９】
以上のようにアクリル板４を透過して開口部２６から外部に照射された照射光は、図４、５に示すように、上下方向に延びる複数の線状の光Ｌとして視認される。すなわち、個々のＬＥＤ３１から出射された出射光が拡散板５によって第二方向Ｄ２（高さ方向）に拡散され、第一方向Ｄ１（水平方向）には拡散されにくくなっていることで、隣り合うＬＥＤ３１からの光Ｌ同士が重なり合うことがなく、それぞれ独立しかつ平行な線状の光Ｌとして視認されるようになっている。
【００３０】
また、ＬＥＤ３１から拡散板５に対して出射光が傾斜して出射されることで、その経路Ｌ１，Ｌ２の距離が異なる、すなわち、開口部２６の下端縁２６Ｂ側の経路Ｌ１が短く、上端縁２６Ａ側の経路Ｌ２が長くなっているので、線状の光Ｌにおける下側の輝度が高くかつアクリル板４の近く（手前側）で発光しているように視認され、上側の輝度が低くかつアクリル板４の遠く（奥側）で発光しているように視認される。
【００３１】
なお、本実施形態において、拡散板５は、入射した光を主に第二方向Ｄ２に拡散させるものに限らず、入射した光を主に第一方向Ｄ１に拡散させる光学特性を有して形成されていてもよい。すなわち、拡散板５は、灯体３のＬＥＤ３１から出射された出射光を第一方向Ｄ１に拡散させつつ透過させ、透過光をアクリル板４に向かって出射するようになっていてもよい。このような拡散板５を用いた場合には、図６に示すように、複数のＬＥＤ３１からの出射光が第一方向Ｄ１及び第二方向Ｄ２に交差する傾斜方向（アクリル板４の平面内における略４５°方向及び略１３５°方向）に拡散され、その光Ｌ同士が交差した格子状の光Ｌとして視認されるようになっている。
【００３２】
この場合にも、ＬＥＤ３１から拡散板５に対して出射光が傾斜して出射されることで、その経路Ｌ１，Ｌ２の距離が異なる、すなわち、開口部２６の下端縁２６Ｂ側の経路Ｌ１が短く、上端縁２６Ａ側の経路Ｌ２が長くなっているので、格子状の光Ｌにおける下側の輝度が高くかつアクリル板４の近く（手前側）で発光しているように視認され、上側の輝度が低くかつアクリル板４の遠く（奥側）で発光しているように視認される。
【００３３】
以上の本実施形態によれば、平行な複数の線状又は格子状かつ輝度が変化する光Ｌが照射されることで、奥行き感のある視覚効果を付与することができる。従って、拡散板５の面直交方向Ｄ３に沿って各ＬＥＤ３１と拡散板５とを大きく離隔させなくても奥行き感が得られることから、灯体３からアクリル板４までの奥行き方向の寸法を小型化し、取付対象部Ｔからの出っ張りを極力小さくすることができる。
【００３４】
奥行き感のある視覚効果を付与することができ、リアスポイラー１の内部に空間が広がっているように感じさせることができるので、スポイラー本体２の奥行き方向の寸法を大きくしなくても、その内部空間の広がり感を付与することができる。また、複数のＬＥＤ３１と拡散板５とが所定の角度及び距離を保持して支持されているので、複数のＬＥＤ３１からの出射光が設定通りの角度及び距離で拡散板５に到達して透過することで、ＬＥＤ３１ごとのばらつきをなくして均質な視覚効果を付与することができる。
【００３５】
また、複数の点光源であるＬＥＤ３１からの指向性の高い出射光を拡散板５で第二方向Ｄ２、又は第一方向Ｄ１及び第二方向Ｄ２に交差する傾斜方向に拡散させることで、隣り合うＬＥＤ３１からの光が混ざり合うことを抑制して、外部に照射される線状又は格子状の光Ｌのコントラストを高めることができる。また、複数のＬＥＤ３１を光源として用いることで、消費電力を削減することができるとともに、各光源自体のサイズが小型化できることから装置の薄型化を促進させることができる。
【００３６】
なお、前述した実施形態は本発明の代表的な形態を示したに過ぎず、本発明は、実施形態に限定されるものではない。すなわち、本発明の骨子を逸脱しない範囲で種々変形して実施することができる。
【００３７】
例えば、前記実施形態では、自動車Ｃの外装の一部であるトランクやリアハッチを取付対象部Ｔとし、この取付対象部Ｔに取り付ける外装部品としてのリアスポイラー１を例示したが、取付対象部Ｔとしては、トランクやリアハッチに限られず、ルーフやサイドドア周り、フロントグリル周り、フロントバンパー及びリアバンパー周り等の自動車の外装であってもよい。さらに、自動車の内装の一部としてのダッシュボード周りや、ドアトリム周り、ルーフ等を取付対象部としてもよい。さらに、本発明の光装飾装置は、車両（自動車）に限らず、建物等の構造物の一部を取付対象部として取り付けられてもよいし、公園や遊園地等の各種設備や遊技機等を取付対象部として取り付けられてもよく、その他、家具類や電気製品など、任意の物品を取付対象部とすることも可能である。
【００３８】
また、前記実施形態では、光装飾装置としてのリアスポイラー１がカバー部材としてのスポイラー本体２と、複数の光源であるＬＥＤ３１を有した灯体３と、透光部材としてのアクリル板４と、光学部材としての拡散板５と、灯体３を支持する支持部材としてのベース６と、を備えて構成されていたが、本発明の光装飾装置は、少なくとも複数の光源と、透光部材と、光学部材と、を備えていればよく、カバー部材や支持部材は省略されてもよい。ここで、カバー部材が省略された場合には、例えば、取付対象部に光装飾装置が内蔵され、取付対象部に形成された開口部から光を照射するように構成されていてもよい。また、支持部材が省略された場合には、例えば、取付対象部に光源が支持されていてもよい。
【００３９】
また、前記実施形態では、拡散板５がアクリル板４の表面に沿って設けられ、ＬＥＤ３１からの出射光を拡散板５からアクリル板４に向かって透過させる構成であったが、これに限らず、図７に示すように、拡散板５がアクリル板４に対向するベース６の傾斜面部６４に沿って設けられ、ＬＥＤ３１からの出射光をアクリル板４に向かって反射させる構成であってもよい。この構成においても前記実施形態と同様に、ＬＥＤ３１から拡散板５に向かう出射光は、拡散板５の面直交方向Ｄ３に対して第二方向Ｄ２の下方側に傾斜した傾斜方向に沿って出射されることになる。
【００４０】
すなわち、ＬＥＤ３１からの出射光のうち、一方側の経路Ｌ１に沿った出射光は拡散板５に反射して開口部２６の下端縁２６Ｂ側に向かい、他方側の経路Ｌ２に沿った出射光は拡散板５に反射して開口部２６の上端縁２６Ａ側に向かう。これらの経路Ｌ１，Ｌ２間における出射光は、拡散板５の面直交方向Ｄ３に対して傾斜した傾斜方向から拡散板５に入射するとともに、アクリル板４に向かって反射され、この反射光がアクリル板４を透過して開口部２６から外部に照射されるようになっている。このように拡散板５によって反射された照射光も前記実施形態と同様に、上下方向に延びる複数の線状の光又は傾斜方向に延びる格子状の光であり、その長手方向に輝度が変化する光として視認されることで、奥行き感のある視覚効果を付与することができる。
【００４１】
また、前記実施形態では、複数の光源としてＬＥＤ３１を用いたが、光源としては、ＬＥＤ３１に限らず、任意の発光手段が利用可能である。また、灯体３としても、複数のＬＥＤ３１が並べて設けられたものに限らず、単一の発光手段からの光を複数に分離し、複数の光源として照射可能なものであってもよい。また、透光部材としては、アクリル板４に限らず、ポリカーボネート板等の任意の樹脂板であってもよいし、ガラス板であってもよい。また、前記実施形態のように、透光部材が暗色半透明のアクリル板４であれば、光源を消灯した際に光装飾装置内部が視認されないようにできるものの、透光部材としては、暗色半透明のものに限らず、透明のものでもよいし、白色等の半透明のものでもよい。
【００４２】
また、前記実施形態では、光学部材として、フィルム状に形成された拡散板５が用いられ、この拡散板５がアクリル板４の内面又はベース６の傾斜面部６４に沿って設けられていたが、このような構成に限定されるものではない。すなわち、本発明における光学部材としては、フィルム状の拡散板に限らず、射出成形品やヒートプレス品等の板状のものであってもよい。さらに、光学部材としては、透光部材（アクリル板４）や支持部材（ベース６）と別体で構成されたものに限らず、透光部材や支持部材の表面に一体に形成されたものであってもよい。
【００４３】
また、前記実施形態の図６に示す拡散板（光学部材）５は、入射した光を主に第一方向Ｄ１に拡散させる光学特性を有し、出射光を第一方向Ｄ１及び第二方向Ｄ２に交差する傾斜方向に拡散することで、アクリル板４の平面内における略４５°方向及び略１３５°方向に沿った格子状の光Ｌを形成するものであったが、光学部材の拡散方向は第一方向Ｄ１及び第二方向Ｄ２と傾斜する方向であってもよい。このように第一方向Ｄ１及び第二方向Ｄ２と傾斜する方向に光を拡散させる光学特性を有した光学部材を用いることで、傾斜角度に応じた縞状の光を形成することができ、奥行き感のある視覚効果が得られる。
【００４４】
その他、本発明を実施するための最良の構成、方法などは、以上の記載で開示されているが、本発明は、これに限定されるものではない。すなわち、本発明は、主に特定の実施例に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４５】
１      リアスポイラー（光装飾装置）
２      スポイラー本体（カバー部材）
３      灯体
４      アクリル板（透光部材）
５      拡散板（光学部材）
６      ベース（支持部材）
２６    開口部
３１    ＬＥＤ（光源）
Ｃ      自動車（車両）
Ｔ      取付対象部
【図１】
2016146317.tif 000003
【図２】
2016146317.tif 000004
【図３】
2016146317.tif 000005
【図４】
2016146317.tif 000006
【図５】
2016146317.tif 000007
【図６】
2016146317.tif 000008
【図７】
2016146317.tif 000009